(57)【要約】【課題】フラッシュ光を効率よく使用することを可能にするＬＥＤフラッシュ及びかかるフラッシュ光の生成方法を提供すること。【解決手段】回折光学要素(50)を使用して矩形の放射パターンを有する光を生成する、電子フラッシュ、イメージング装置、及びフラッシュ光の生成方法。該回折光学要素は、該回折光学要素から発せられる光の放射パターンが矩形となって矩形のフラッシュ光が生成されるように、光源(46;72,74,76)から発せられた光を回折させるよう構成される。【選択図】図３
2007052436.tif 000002
【特許請求の範囲】
【請求項１】
フラッシュ光を生成するための電子フラッシュであって、
基板(44)と、
該基板に取り付けられ、光を発するよう構成された、光源(46;72,74,76)と、
該光源に光学的に結合された回折光学要素(50)であって、該回折光学要素から発せられる光の放射パターンが矩形となって、矩形の放射パターンを有するフラッシュ光が生成されるように、前記光源から発せられた光を回折させるよう構成された、回折光学要素(50)と
を含む、電子フラッシュ。
【請求項２】
前記光源(46;72,74,76)が、発光ダイオードダイを含む、請求項１に記載の電子フラッシュ。
【請求項３】
前記回折光学要素(50)が、前記矩形の放射パターンを有する前記フラッシュ光を生成する回折ホログラフィックフィルムを含む、請求項１又は請求項２に記載の電子フラッシュ。
【請求項４】
前記回折光学要素(50)が、前記矩形の放射パターンを有する前記フラッシュ光を生成する回折拡散器を含む、請求項１又は請求項２に記載の電子フラッシュ。
【請求項５】
前記光源(46;72,74,76)に光学的に結合された波長シフト領域(54)を更に含み、該波長シフト領域が、前記光の一部を一層長い波長の光へと変換する光輝性材料(56)を含む、請求項１ないし請求項３の何れか一項に記載の電子フラッシュ。
【請求項６】
前記光源(46;72,74,76)と前記回折光学要素(50)との間に配置されたレンズ(66)を更に含み、該レンズが、前記光源からの光の視野角を狭くするように該光を集束させるよう構成されている、請求項１ないし請求項５の何れか一項に記載の電子フラッシュ。
【請求項７】
前記レンズ(66)が、前記光源に面する凹面(68)を有している、請求項６に記載の電子フラッシュ。
【請求項８】
フラッシュ光の生成方法であって、
電子フラッシュ内で光を生成し(702)、
該電子フラッシュの回折光学要素(50)から発せられる光の放射パターンが矩形となって、矩形の放射パターンを有するフラッシュ光が生成されるように、該回折光学要素(50)を使用して前記光を回折させる(704)、
という各ステップを含む、フラッシュ光の生成方法。
【請求項９】
光輝性材料(56)を使用して前記光の一部を一層長い波長の光へと変換するステップを更に含む、請求項８に記載の方法。
【請求項１０】
前記光を前記回折光学要素(50)により回折させる前に該光の視野角を狭くするように該光を集束させるステップを更に含む、請求項８又は請求項９に記載の方法。
【発明の詳細な説明】
【技術分野】
【０００１】
本発明は、フラッシュ光の生成に関するものである。
【背景技術】
【０００２】
電子フラッシュは、カメラその他のイメージング装置により捕捉されるイメージの品質を向上させるために写真撮影の補助光として提供されるものである。従来の電子フラッシュは、アルゴン、クリプトン、ネオン、及びキセノンといったガス、又は蒸気（例えば水銀蒸気）が充填された電球を利用したものである。該電球に高電圧が印加されると、該ガス又は蒸気がイオン化されて、該ガス又は蒸気を通って電子が流れることが可能となる。かかる電子は、該ガス又は蒸気の原子を励起させ、該ガス又は蒸気が光を発することになる。この発せられた光の波長特性は、電球中のガス又は蒸気によって決まるものとなる。水銀蒸気の場合には、発せられた光は紫外光であり、これは、通常は蛍光材料を使用して可視光へと変換される（紫外光は一般に所望されないものであるため）。
【０００３】
最近では、発光ダイオード（ＬＥＤ）は、その動作効率がある程度改選され、このため、ＬＥＤは今や、電子フラッシュの電球さえも、従来の光源に取って代わるものとなっている。典型的なＬＥＤフラッシュは、１つ又は２つ以上のＬＥＤダイ及びレンズを含む。該ＬＥＤは、該ＬＥＤから発せられた光を所望の方向へ反射させるリフレクタカップ内の基板上に固定され又は取り付けられる。前記レンズは、発せられた光を、カメラの視野角に一致するよう60度（60°）の視野角に導くように、前記リフレクタカップ上に配置される。
【０００４】
図１に示すように、従来のＬＥＤフラッシュの場合の関心事は、ＬＥＤにより生成されるフラッシュ光の放射パターン10が円形又は楕円形であることである。しかし、カメラのイメージング視野は矩形である。イメージング視野12は、放射領域10内にある必要があるため、従来のＬＥＤフラッシュから発せられた光の大部分は、関心のある光景のイメージを捕捉する際に使用することができない。
【発明の開示】
【発明が解決しようとする課題】
【０００５】
かかる点に鑑みると、ディジタルカメラ等のイメージング装置によりフラッシュ光を効率よく使用することを可能にするフラッシュ光を生成するＬＥＤフラッシュ及び該フラッシュ光の生成方法が必要とされている。
【課題を解決するための手段】
【０００６】
フラッシュ光を生成するための、電子フラッシュ、イメージング装置、及び方法は、回折光学要素を使用して、矩形の放射パターンを有するフラッシュ光を生成する。該回折光学要素は、光源から発せられた光を、該回折光学要素から発せられる光の放射パターンが矩形となるよう回折させて、矩形のフラッシュ光を生成するように構成される。このフラッシュ光の矩形の放射パターンは、関心のある光景の矩形のイメージを捕捉するために、円形又は楕円形の放射パターンを有する従来のフラッシュ光よりもフラッシュ光を一層効率良く使用することを可能にする。
【０００７】
本発明の一実施形態による電子フラッシュは、基板、光源、及び回折光学要素を含む。前記光源は前記基板に固定される。前記光源は光を発するよう構成されている。前記回折光学要素は前記光源に光学的に結合される。前記回折光学要素は、該回折光学要素から発せられる光の放射パターンが矩形となるよう前記光源から発せられた光を回折させて矩形の放射パターンを有するフラッシュ光を生成するよう構成される。
【０００８】
本発明の一実施形態によるイメージング装置は、基板、光源、回折光学要素、及びイメージセンサを含む。前記光源は前記基板に固定される。前記光源は光を発するよう構成されている。前記回折光学要素は前記光源に光学的に結合される。前記回折光学要素は、該回折光学要素から発せられる光の放射パターンが矩形となるよう前記光源から発せられた光を回折させて矩形の放射パターンを有するフラッシュ光を生成するよう構成される。前記イメージセンサは、前記矩形の放射パターンを有するフラッシュ光を使用して関心のある光景のイメージを電子的に捕捉するよう構成される。
【０００９】
本発明の一実施形態によるフラッシュ光の生成方法は、電子フラッシュ内で光を生成し、該電子フラッシュの回折光学要素から発せられる光の放射パターンが矩形となるように該回折光学要素を用いて前記生成された光を回折させて、矩形の放射パターンを有するフラッシュ光を生成する、という各ステップを含む。
【００１０】
本発明の他の特徴及び利点は、本発明の原理を例示するために示した図面と共に以下の詳細な説明を参照することにより明らかとなろう。
【発明を実施するための最良の形態】
【００１１】
図２を参照する。同図には、本発明の一実施形態による写真撮影で使用するための電子フラッシュ20が示されている。図２に示すように、電子フラッシュ20は、ディジタルカメラ22、カメラ付き携帯電話24、又は他のあらゆるイメージング装置に内蔵させることが可能なものである。該電子フラッシュ20はまた、イメージング装置と共に使用することができる外部フラッシュユニット26に内蔵させることが可能である。該外部フラッシュユニット26は、イメージング装置に装着されるように、又はイメージング装置と連携する外部的な装置として使用されるように、設計することが可能なものである。以下で詳述するように、電子フラッシュ20は、そのフラッシュ光が一層効率よく使用されるように、イメージング装置のイメージング視野により近く一致するように矩形の放射パターンを有するフラッシュ光を生成するよう設計される。
【００１２】
図３を参照する。同図には、本発明の一実施形態による電子フラッシュ20を有するディジタルイメージング装置30が示されている。この実施形態では、電子フラッシュ20は、該ディジタルイメージング装置30に内蔵されており、該ディジタルイメージング装置30は、ディジタルカメラ又はカメラ付き携帯電話とすることが可能なものである。図３に示すように、該イメージング装置30は、レンズ32、イメージセンサ34、アナログ-ディジタル変換器（ＡＤＣ）36、プロセッサ38、記憶装置40、ドライバ回路42、及び電子フラッシュ20を含む。該イメージング装置30は、従来のディジタルイメージング装置で一般に見られる他の構成要素を含むことも可能であるが、ここでは図示又は説明しないこととする。レンズ32は、関心のある光景の矩形のイメージを捕捉するために該光景の焦点をイメージセンサ34上に合わせるために使用される。イメージセンサ34は、その各画素で光を受容したことに応じて該画素で電荷を生成することにより、図４に示すような所定の矩形の視野62内の焦点合わせされた光景を電子的に捕捉するよう動作する。一例として、イメージセンサ34は、電荷結合素子（ＣＣＤ）又は金属酸化膜半導体（ＭＯＳ）イメージセンサとすることが可能である。該イメージセンサ34により生成された電荷は、信号処理のために、ＡＤＣ36によりディジタル信号へと変換される。
【００１３】
イメージング装置30のプロセッサ38は、ＡＤＣ36からのディジタル信号を処理して、捕捉された関心のある光景の矩形のディジタルイメージを生成する。該プロセッサ38により行われる処理としては、例えば、デモザイク処理、イメージエンハンス処理、及び圧縮処理が含まれる。結果として得られる矩形のディジタルイメージは、記憶装置40（リムーバブルメモリカードを含むことが可能）に格納される。
【００１４】
イメージング装置30のドライバ回路42は、電子フラッシュ20に接続され、該電子フラッシュを駆動するのに必要な電力を供給する。該ドライバ回路42は、該ドライバ回路を制御するプロセッサ38にも接続される。本例示の実施形態では、ドライバ回路42は、電子フラッシュ20の外部にあるものとして示されている。しかし、別の実施形態では、ドライバ回路42は、電子フラッシュ20内に組み込むことが可能である。
【００１５】
図３に示すように、電子フラッシュ20は、基板44、光源46、カプセル材料48、及び回折光学層50を含む。該基板44は、リフレクタカップを形成する凹部52を含む。前記光源46は、該リフレクタカップ52内で前記基板44上に取り付けられる。このため、該光源46から発せられた光の一部は、該リフレクタカップ52の表面で反射され、前記回折光学層50に向かって前記光源46の上面と垂直な方向へ進むことになる。この実施形態では、光源46は発光ダイオード（ＬＥＤ）ダイである。例えば、光源46を青色ＬＥＤとすることが可能である。別の例として、光源46を白色光を発するZnSeベースのＬＥＤダイとすることが可能である。しかし、光源46は、あらゆるタイプの発光装置（例えばレーザダイオード）とすることが可能である。ＬＥＤダイ46は、光を生成するための電力を受容するためにドライバ回路42に電気的に接続される。
【００１６】
ＬＥＤダイ46はカプセル材料48内に封入される。該カプセル材料48は、該ＬＥＤダイ46から発せられた光を伝搬させる媒体である。このため、該カプセル材料48は、基板44上に配置され、該基板のリフレクタカップ52に充填される。該カプセル材料48は、あらゆる透明物質から作成することが可能である。例えば、カプセル材料48は、エポキシ、シリコーン、シリコーン及びエポキシの混成物、アモルファスポリアミド樹脂又は過フッ化炭化水素、ガラス、及び／又はプラスティック材料から作成することが可能である。
【００１７】
本例示の実施形態では、カプセル材料48は、波長シフト領域54を含み、該波長シフト領域54もまた、光を伝搬させる媒体であり、透明物質及び光輝性材料56の混合物から作成されたものである。該波長シフト領域54内の光輝性材料56は、ＬＥＤダイ46により当初に発せられた光の一部を一層低いエネルギー（一層長い波長）の光へと変換して、異なる色の光（例えば白色光）を生成する。しかし、ＬＥＤダイ46が白色光ZnSeベースのＬＥＤダイである場合には、前記波長シフト領域54は必要ない。波長シフト領域54内の光輝性材料56は、１つ又は２つ以上の異なるタイプの無機リン、１つ又は２つ以上の異なるタイプの有機リン、１つ又は２つ以上の異なるタイプの蛍光有機染料、１つ又は２つ以上の異なるタイプの混成リン、１つ又は２つ以上の異なるタイプのナノリン、１つ又は２つ以上の異なるタイプの量子ドット、又は、蛍光有機染料、無機リン、有機リン、混成リン、ナノリン、及び量子ドットの任意の組み合わせから構成することが可能である。混成リンは、本書では、無機リン及び有機リン又は染料の任意の組み合わせからなるリンであると定義する。量子ドットは、半導体ナノ結晶としても知られるものであり、電子及び正孔を閉じ込める人工的に作製されたデバイスである。量子ドットは、非量子リンと同様に、光を吸収して異なる波長の光を再放出する光輝特性を有するものである。しかし、量子ドットから放出される光の色特性は、該量子ドットの大きさ及び該量子ドットの化学的な組成によって決まり、これは、非量子リンの色特性が化学的な組成のみによって決まるのとは異なる。ナノリンは、従来のリンと同様の光学特性を有する。しかし、ナノリンは、従来のリンよりも小さく、量子ドットよりも大きいものである。従来のリンの大きさは、１〜50ミクロン（典型的には１〜20ミクロン）の範囲内となる。ナノリンの大きさは、１ミクロンよりも小さ胃が、量子ドット（例えば、数ナノメータ）よりも大きい。例えば、光輝性材料56は従来のＹＡＧリンとすることが可能であり、これを青色ＬＥＤダイと共に使用すると、白色光を生成することができる。
【００１８】
カプセル材料48の波長シフト領域54を矩形形状のものとして図３に示したが、波長シフト領域54は、半球といった他の形状で構成することが可能である。一実施形態では、カプセル材料48全体を波長シフト領域とすることが可能である。この実施形態では、光輝性材料56は、カプセル材料48全体にわたって分布することになる。別の実施形態では、波長シフト領域54は、ＬＥＤダイ46上の薄いコーティング層とすることが可能である。別の実施形態では、波長シフト領域54は、ＬＥＤダイ46に物理的に結合させずに、該ＬＥＤダイ46から幾分か距離を置いて配置することが可能である。一実施形態では、波長シフト領域54は、回折光学層50の近傍でカプセル材料48の表面に配置された薄層（図示せず）とすることが可能である。
【００１９】
電子フラッシュ20の回折光学層50はカプセル材料48に隣接して配置される。該回折光学層50は、透明な接着材料58を使用してカプセル材料48に固定される。例えば、接着材料58として光学グレードの接着剤を使用して、カプセル材料48と回折光学層50との間の屈折率の変化に起因する光損失を最小限にすることができる。図４に示すように、回折光学層50は、ＬＥＤダイ46から発せられた光の円形の放射パターンを（イメージセンサ34のイメージング視野62に対応する）矩形の放射パターン60へと変換するよう構成された回折光学要素である。このため、回折光学層50から発せられる光は、矩形の放射パターンを有するフラッシュ光となる。回折光学層50は、円形の放射パターンの光を矩形の放射パターンの光へと変換するよう回折を用いて任意の種類の波面変換を行う任意の光学要素とすることができる。代替的には、回折光学層50は、離散フーリエ変換（ＤＣＴ）アルゴリズムを使用して円形の放射パターンの光を矩形の放射パターンの光へと変換するよう設計された回折拡散器とすることが可能である。かかる回折拡散器は、誤差関数最小化プロセスである焼き鈍し法（「ＩＤＯ」法としても知られる）を使用して、又は反復射出プロセスである「ピンポン」又は射出法を使用して、作製することができる。一実施形態では、回折光学層50は、ホログラフィックフィルムという形をとることが可能である。
【００２０】
回折光学層50は、入力された円形の放射パターンの光が狭い視野角を有している場合に良好に機能する。このため、回折光学層50を通過する前にＬＥＤダイ46からの光を集束させると、電子フラッシュ20の品質が向上することになる。ここで図５を参照する。同図には、本発明の代替的な実施形態による電子フラッシュ64が示されている。図３と同一の符号を、図５における同様の構成要素を識別するために使用することとする。図３の電子フラッシュ20と同様に、電子フラッシュ64は、基板44、光源46、波長シフト領域54を有するカプセル材料48、及び回折光学層50を含む。しかし、電子フラッシュ64は更に、光学的なドームという形のレンズ66を含む。
【００２１】
光学ドームレンズ66は、カプセル材料48内におけるＬＥＤダイ46と回折光学層50との間に配置され、回折光学層50を通過する前にＬＥＤダイ46から発せられた光の視野角を狭くするよう該光を集束させる働きをする。該光学ドームレンズ66は、ＬＥＤダイ46に面する凹面68を有する。該光学ドームレンズ66の該凹面68はＬＥＤダイ46からの光を集束させて該光の光の視野角を狭くする。光学ドームレンズ66は、ガラス又はプラスティックといった光学的に透明のあらゆる材料から作成することが可能である。
【００２２】
入力される光が狭い視野角を有する場合には、放射パターン変換に関する回折光学層50の光学性能が改善される。光学ドームレンズ66が、ＬＥＤダイ46から発せられた光の視野角を狭くするため、該光学ドームレンズ66を組み込むことにより、回折光学層50の光学性能が改善されて、矩形の放射パターンを有するはっきりとした輪郭のフラッシュ光が生成されることになる。
【００２３】
図３及び図５の電子フラッシュ20,64は、単一の光源を含むものとして図示及び説明したが、該電子フラッシュは、別の実施形態では２つ以上の光源を含むことが可能である。図６には、本発明の一実施形態による複数の光源を有する電子フラッシュ70が示されている。同図において、図３及び図５と同一の符号は、同様の構成要素を識別するために使用されている。図３及び図５の電子フラッシュ20,64と同様に、電子フラッシュ70は、基板44、カプセル材料48、及び回折光学層50を含む。しかし、電子フラッシュ70は、白色光を生成すべく異なる色の光を発する３つの光源72,74,76（例えばＬＥＤダイ）を含む。例えば、光源72,74,76は、それぞれ、赤色、緑色、及び青色ＬＥＤダイ（赤色光、緑色光、及び青色光を発し、その混合により白色光を生成するもの）とすることが可能である。
【００２４】
動作時には、光源72,74,76が、異なる色（例えば、赤色光、緑色光、及び青色光）の光を発して、白色フラッシュ光を生成する。発せられた光の一部は、回折光学層50に向かって直接進行し、発せられた光の別の一部は、基板44のリフレクタカップ52により反射された後に回折光学層50に向かって進行する。次いで、該発せられた光が回折光学層50により円形の放射パターンから矩形の放射パターンへと変換され、その結果として、電子フラッシュ70により生成された白色フラッシュ光が矩形の放射パターンを有するものとなる。
【００２５】
本発明の一実施形態によるフラッシュ光の生成方法を図７を参照して説明する。ブロック702で、電子フラッシュ内で光が生成される。該光は、ＬＥＤダイ（赤色、緑色、青色、又は白色ＬＥＤダイ等）により生成することが可能である。次いで、ブロック704で、該光を、該電子フラッシュの回折光学要素を使用して、該回折光学要素から発せられる光の放射パターンが矩形になるよう回折させて、矩形の放射パターンを有するフラッシュ光を生成する。
【００２６】
本発明の特定の実施形態について説明し図示したが、本発明は、かかる説明し図示した特定の形態または構成要素の配置に限定されるものではない。本発明の範囲は、特許請求の範囲及びその等価物によって画定されるべきである。
【００２７】
以下においては、本発明の種々の構成要件の組み合わせからなる例示的な実施形態を示す。
１．フラッシュ光を生成するための電子フラッシュであって、
基板と、
該基板に取り付けられ、光を発するよう構成された、光源と、
該光源に光学的に結合された回折光学要素であって、該回折光学要素から発せられる光の放射パターンが矩形となって、矩形の放射パターンを有するフラッシュ光が生成されるように、前記光源から発せられた光を回折させるよう構成された、回折光学要素と
を含む、電子フラッシュ。
２．前記光源が、発光ダイオードダイを含む、前項１に記載の電子フラッシュ。
３．前記回折光学要素が、前記矩形の放射パターンを有する前記フラッシュ光を生成する回折ホログラフィックフィルムを含む、前項１に記載の電子フラッシュ。
４．前記回折光学要素が、前記矩形の放射パターンを有する前記フラッシュ光を生成する回折拡散器を含む、前項１に記載の電子フラッシュ。
５．前記光源に光学的に結合された波長シフト領域を更に含み、該波長シフト領域が、前記光の一部を一層長い波長の光へと変換する光輝性材料を含む、前項１に記載の電子フラッシュ。
６．前記光輝性材料が、少なくとも１種類の蛍光有機染料、無機リン、有機リン、混成リン、ナノリン、又は量子ドットを含む、前項５に記載の電子フラッシュ。
７．光を発する複数の追加の光源を更に含む、前項１に記載の電子フラッシュ。
８．前記光源が、赤色光を発する発光ダイオードダイであり、前記複数の追加の光源の各々が、緑色光及び青色光の一方を発する発光ダイオードダイである、前項７に記載の電子フラッシュ。
９．前記光源と前記回折光学要素との間に配置されたレンズを更に含み、該レンズが、前記光源からの光の視野角を狭くするように該光を集束させるよう構成されている、前項１に記載の電子フラッシュ。
１０．前記レンズが、前記光源に面する凹面を有している、前項９に記載の電子フラッシュ。
１１．イメージング装置であって、
基板と、
該基板に取り付けられ、光を発するよう構成された、光源と、
該光源に光学的に結合された回折光学要素であって、該回折光学要素から発せられる光の放射パターンが矩形となって、矩形の放射パターンを有するフラッシュ光が生成されるように、前記光源から発せられた光を回折させるよう構成された、回折光学要素と、
前記矩形の放射パターンを有する前記フラッシュ光を使用して、関心のある光景のイメージを電子的に捕捉するよう構成された、イメージセンサと
を含む、イメージング装置。
１２．前記回折光学要素が、前記矩形の放射パターンを有する前記フラッシュ光を生成する回折ホログラフィックフィルムである、前項１１に記載のイメージング装置。
１３．前記回折光学要素が、前記矩形の放射パターンを有する前記フラッシュ光を生成する回折拡散器である、前項１１に記載のイメージング装置。
１４．前記光源に光学的に結合された波長シフト領域を更に含み、該波長シフト領域が、前記光の一部を一層長い波長の光へと変換する光輝性材料を含む、前項１１に記載のイメージング装置。
１５．前記光輝性材料が、少なくとも１種類の蛍光有機染料、無機リン、有機リン、混成リン、ナノリン、又は量子ドットを含む、前項１４に記載のイメージング装置。
１６．前記光源が、発光ダイオードダイを含む、前項１１に記載のイメージング装置。
１７．前記光源と前記回折光学要素との間に配置されたレンズを更に含み、該レンズが、前記光源からの光の視野角を狭くするように該光を集束させるよう構成されている、前項１１に記載のイメージング装置。
１８．フラッシュ光の生成方法であって、
電子フラッシュ内で光を生成し、
該電子フラッシュの回折光学要素から発せられる光の放射パターンが矩形となって、矩形の放射パターンを有するフラッシュ光が生成されるように、該回折光学要素を使用して前記光を回折させる、
という各ステップを含む、フラッシュ光の生成方法。
１９．光輝性材料を使用して前記光の一部を一層長い波長の光へと変換するステップを更に含む、前項１８に記載の方法。
２０．前記光を前記回折光学要素により回折させる前に該光の視野角を狭くするように該光を集束させるステップを更に含む、前項１８に記載の方法。
【図面の簡単な説明】
【００２８】
【図１】従来のＬＥＤフラッシュにより生成されるフラッシュ光の円形の放射パターンと従来技術によるカメラの矩形のイメージング視野とを示している。
【図２】ディジタルカメラ、カメラ付き携帯電話、又は外部フラッシュ装置に内蔵させることが可能な本発明の一実施形態による電子フラッシュを示している。
【図３】本発明の一実施形態による電子フラッシュを有するディジタルイメージング装置の図である。
【図４】本発明の一実施形態による電子フラッシュにより生成されるフラッシュ光の矩形の放射パターンを示している。
【図５】本発明の代替的な実施形態による電子フラッシュの図である。
【図６】本発明の一実施形態による複数の光源を有する電子フラッシュの図である。
【図７】本発明の一実施形態による矩形の放射パターンを有するフラッシュ光を生成するための方法のフローチャートである。
【符号の説明】
【００２９】
20    電子フラッシュ
30    ディジタルイメージング装置
32    レンズ
34    イメージセンサ
36    アナログ-ディジタル変換器（ＡＤＣ）
38    プロセッサ
40    記憶装置
42    ドライバ回路
44    基板
46    ＬＥＤダイ（光源）
48    カプセル材料
50    回折光学層
52    リフレクタカップ（凹部）
54    波長シフト領域
56    光輝性材料
【図１】
2007052436.tif 000003
【図２】
2007052436.tif 000004
【図３】
2007052436.tif 000005
【図４】
2007052436.tif 000006
【図５】
2007052436.tif 000007
【図６】
2007052436.tif 000008
【図７】
2007052436.tif 000009